(57)【要約】【課題】色材総量が異なる複数のプロファイルが必要となる場合に、プロファイルを格納するテーブルの必要なメモリ容量を削減する。【解決手段】予め作成された、カラープリンタのデバイス値ＣＭＹＫに対応するデバイス独立値Ｌａｂが格納された第２変換テーブル５８を探索して、任意のデバイス独立値Ｌａｂに対応するデバイス値ＣＭＹＫが存在するかどうかを判断し、デバイス値ＣＭＹＫが存在した場合、第１変換テーブル５４格納用のメモリ領域２４ｍを確保し、任意のデバイス独立値Ｌａｂに対応させて、存在したデバイス値ＣＭＹＫのみを格納して第１変換テーブル５４を作成するようにしているので、第１変換テーブル５４のメモリ容量を削減することができる。【選択図】図９
2009118322.tif 000002
【特許請求の範囲】
【請求項１】
画像出力デバイスで利用される、デバイス独立値をデバイス値に変換する第１変換テーブルの作成方法であって、
予め作成された、前記デバイス値を前記デバイス独立値に変換する第２変換テーブルを探索して、任意のデバイス独立値に対応するデバイス値が存在するかどうかを確認する過程と、
任意の前記デバイス独立値に対応する前記デバイス値の存在が確認された場合、前記第１変換テーブル格納用のメモリ領域を確保し、確保した前記メモリ領域に、任意の前記デバイス独立値に対応させて、存在が確認された前記デバイス値のみを格納して前記第１変換テーブルを作成する過程と、
を有することを特徴とするデバイス独立値をデバイス値に変換する第１変換テーブルの作成方法。
【請求項２】
請求項１記載のデバイス独立値をデバイス値に変換する第１変換テーブルの作成方法において、
前記デバイス独立値が（Ｌ，ａ，ｂ）であって、前記デバイス値が（Ｃ，Ｍ，Ｙ，Ｋ）であるとき、
前記探索して確認する過程では、
任意の前記デバイス独立値（Ｌ，ａ，ｂ）に対応する、前記デバイス値（Ｃ，Ｍ，Ｙ，Ｋ）中、Ｋ＝０に固定したデバイス値（Ｃ，Ｍ，Ｙ，０）を探索して確認し、さらに、Ｋを、Ｋ＝Ｋ１，Ｋ２，…，１００（０＜Ｋ１＜Ｋ２＜…＜１００）に変化させてデバイス値（Ｃ，Ｍ，Ｙ，Ｋ１），（Ｃ，Ｍ，Ｙ，Ｋ２），…，（Ｃ，Ｍ，Ｙ，１００）を探索して確認し、
前記メモリ領域を確保して、存在が確認された前記デバイス値のみを格納して前記第１変換テーブルを作成する過程では、
確保した前記メモリ領域に、任意の前記デバイス独立値（Ｌ，ａ，ｂ）に対応するＫ＝０，Ｋ１，Ｋ２，…１００中、存在した前記デバイス値（Ｃｉ，Ｍｉ，Ｙｉ，Ｋｉ）の組のみを格納する
ことを特徴とするデバイス独立値をデバイス値に変換する第１変換テーブルの作成方法。
【請求項３】
請求項１又は２記載の方法で作成されたデバイス独立値をデバイス値に変換する第１変換テーブル。
【発明の詳細な説明】
【技術分野】
【０００１】
この発明は、Ｌａｂ等のデバイス独立色空間の値（以下、デバイス独立値という。）をＣＭＹＫ等のデバイス依存色空間の値（以下、デバイス値という。）に変換する第１変換テーブル（色変換定義）をメモリ（ハードディスク、半導体メモリ、ディスクメモリ等）にテーブルとして格納するデバイス独立値をデバイス値に変換する第１変換テーブルの作成方法及びその第１変換テーブルに関する。
【背景技術】
【０００２】
従来から、色材としてトナーを使用する電子写真プリンタや、色材としてインクを使用するインクジェットプリンタ等の画像出力デバイス（画像形成装置）、及び印刷機では、色材を重ねて紙（印刷本紙）等の支持体上に画像を形成して印刷物を得るようにしているが、印刷物の使用目的に応じて、支持体上に形成される画像の平坦性がなるべく一様であること、あるいは画像に凹凸（レリーフ）があることが求められる。
【０００３】
支持体上に形成された画像の平坦性、換言すれば凹凸の程度は、画像を構成する各点（画素）を形成する色材総量の差によって決定される。各画素の色材総量の差が小さい場合には画像の平坦性が保持され、差が大きい場合には凹凸が形成される。
【０００４】
ところで、色を印刷機により印刷物として再現する色再現分野においては、カラー印刷機により印刷画像を作成する前に、画像出力デバイス｛カラー電子写真プリンタやカラーインクジェットプリンタであるＤＤＣＰ（ダイレクトデジタルカラー校正という。）｝により印刷画像のプルーフ（校正画像が形成されたハードコピー等）を作成し、該校正画像上で、印刷機により再現される色を確認することが一般的に行われている。
【０００５】
この場合、印刷機により作成される印刷画像と、画像出力デバイスにより作成される校正画像との色合わせが重要であり、この色合わせは一般的にはカラーマッチングと呼ばれる。このカラーマッチングにおいては、画像出力デバイスで画像を再現するために、Ｌａｂ等のデバイス独立値を画像出力デバイスの入力値であるＣＭＹＫ等のデバイス値に変換する画像出力デバイス用のＢ２Ａプロファイルが必要とされる。
【０００６】
カラーマッチングに関し、ＩＣＣプロファイルフォーマットに代表される色変換でのプロファイルは、等間隔に配置されたデバイス独立の色空間の色差を変化させないために、楕円形の形を保持したまま直方体のテーブルにマッピングされている。このため、プロファイル値の存在しない格子点が多量に存在することになり、プロファイル量に見合う精度の高い色変換ができなかった（特許文献１）。
【０００７】
この特許文献１に係る技術では、これを解決するため、予め定められた色信号が格納されたプロファイルテーブルと、前記予め定められた色信号の格納位置を管理するための管理データが格納された管理テーブルと、入力された色信号が直接前記プロファイルテーブルを参照するか、入力された色信号が前記管理テーブルを参照してから前記プロファイルテーブルを参照するかを切り替える切り替え部とを有するプロファイルテーブル参照装置において、デバイス独立の色空間を色変換の第１のプロファイルテーブルにマッピングする過程で、色空間の最大値、最小値と色信号を格納する格子点の最大、最小位置を対応させ作成した第２のプロファイルテーブルに対し、格子点数を仮想的に増やすことにより前記デバイス独立の色空間を細分化してマッピングした第３のプロファイルテーブルを作成して、前記第２のプロファイルテーブルの格子点数からはみ出して色空間がマッピングされていない第３のプロファイルテーブルの格子点を入れ替えることによって、前記第１のプロファイルテーブルを作成するようにしている。
【０００８】
しかしながら、この特許文献１に係る技術では、デバイス独立値に対するデバイス値が一意に決定されるという理由で、インク総量を変更する等の、色変換条件に対応することができない。
【０００９】
インク総量を変更する等の色変換条件変更に対応可能な技術が提案されている（特許文献２）。
【００１０】
この特許文献２に係る技術では、グレー補償（Ｋの色材単色でグレーを再現する。）がある場合には、色材総量（例えば、トナー乗り量）の少ないプロファイルが選択され、グレー補償がない場合には色材総量の多いプロファイルが選択される。
【００１１】
【特許文献１】特開２００１−１６９１２６号公報
【特許文献２】特開２００４−２１３４１０号公報（［００６２］、図７）
【発明の開示】
【発明が解決しようとする課題】
【００１２】
しかしながら、この特許文献２に係る技術において、色材総量毎に別のプロファイルが必要となり、プロファイル数が多くなるため、必要なメモリ量が多くなるという問題がある。
【００１３】
また、特許文献１及び２に係る技術では、Ｂ２Ａプロファイルを格納する第１変換テーブルには、任意のデバイス独立値に対応する全てのデバイス値が格納されているが、この全てのデバイス値に対する検証がなされていないため、存在していないデバイス値も格納されており、徒にテーブルのメモリ容量が大きくなってしまうという問題もある。
【００１４】
この発明はこのような課題を考慮してなされたものであり、任意のデバイス独立値をデバイス値に変換する第１変換テーブルのメモリ容量を低減することを可能とするデバイス独立値をデバイス値に変換する第１変換テーブルの作成方法及びその第１変換テーブルを提供することを目的とする。
【課題を解決するための手段】
【００１５】
この発明に係るデバイス独立値をデバイス値に変換する第１変換テーブルの作成方法は、画像出力デバイスで利用される、デバイス独立値をデバイス値に変換する第１変換テーブルの作成方法であって、予め作成された、前記デバイス値を前記デバイス独立値に変換する第２変換テーブルを探索して、任意のデバイス独立値に対応するデバイス値が存在するかどうかを確認する過程と、任意の前記デバイス独立値に対応する前記デバイス値の存在が確認された場合、前記第１変換テーブル格納用のメモリ領域を確保し、確保した前記メモリ領域に、任意の前記デバイス独立値に対応させて、存在が確認された前記デバイス値のみを格納して前記第１変換テーブルを作成する過程と、を有することを特徴とする。
【００１６】
この発明によれば、予め作成された、デバイス値に対応するデバイス独立値が格納された第２変換テーブルを探索して、任意のデバイス独立値に対応するデバイス値が存在するかどうかを判断し、前記デバイス値が存在した場合、第１変換テーブル格納用のメモリ領域を確保し、前記任意のデバイス独立値に対応させて、存在した前記デバイス値のみを格納して第１変換テーブルを作成するようにしているので、第１変換テーブルのメモリ容量を削減することができる。
【００１７】
この場合、前記デバイス独立値が（Ｌ，ａ，ｂ）であって、前記デバイス値が（Ｃ，Ｍ，Ｙ，Ｋ）であるとき、前記探索して確認する過程では、任意の前記デバイス独立値（Ｌ，ａ，ｂ）に対応する、前記デバイス値（Ｃ，Ｍ，Ｙ，Ｋ）中、Ｋ＝０に固定したデバイス値（Ｃ，Ｍ，Ｙ，０）を探索して確認し、さらに、Ｋを、Ｋ＝Ｋ１，Ｋ２，…，１００（０＜Ｋ１＜Ｋ２＜…＜１００）に変化させてデバイス値（Ｃ，Ｍ，Ｙ，Ｋ１），（Ｃ，Ｍ，Ｙ，Ｋ２），…，（Ｃ，Ｍ，Ｙ，１００）を探索して確認し、前記メモリ領域を確保して、存在が確認された前記デバイス値のみを格納して前記第１変換テーブルを作成する過程では、確保した前記メモリ領域に、任意の前記デバイス独立値（Ｌ，ａ，ｂ）に対応するＫ＝０，Ｋ１，Ｋ２，…１００中、存在した前記デバイス値（Ｃｉ，Ｍｉ，Ｙｉ，Ｋｉ）の組のみを、前記任意のデバイス独立値（Ｌ，ａ，ｂ）に対応させて前記第１変換テーブルに格納する。この発明によれば、１つの第１変換テーブルで、複数の色材総量に対応することができる。
【００１８】
ここで、Ｋ１、Ｋ２はそれぞれ１０、２０等に選択することができる。
【００１９】
この発明には、請求項１又は２記載の第１変換テーブルの作成方法で作成された該第１変換テーブルも含まれる。
【発明の効果】
【００２０】
この発明によれば、デバイス独立値をデバイス値に変換する第１変換テーブルの格納に必要なメモリ容量を削減することができる。また、１つの第１変換テーブルで、複数の色材総量に対応することができる。
【発明を実施するための最良の形態】
【００２１】
以下、この発明の実施形態について図面を参照して説明する。
【００２２】
図１は、この発明の一実施形態に係る第１変換テーブルの作成方法が適用されたこの実施形態に係る第１変換テーブル作成システム１０の構成図である。
【００２３】
第１変換テーブル作成システム１０は、基本的に、パーソナルコンピュータ１２と、このパーソナルコンピュータ１２に接続されるカラースキャナ（画像入力デバイス）１４と、カラープリンタ（画像出力デバイス）１６と、フイルムプリンタ（画像出力デバイス）１８と、デバイス独立値、ここではＬａｂを測定する測色計２０とから構成される。
【００２４】
カラースキャナ１４は、カラーリバーサルフイルム等のカラー原稿Ｉａからカラー画像を読み取り、デバイス値ＲＧＢ（ＲＧＢ３色のＲＧＢ画像データともいう。）をパーソナルコンピュータ１２に送る。
【００２５】
パーソナルコンピュータ１２は、バスを通じて、ＣＰＵ２２、メモリ２４、カラーモニタ２８、キーボードマウス等の入力装置３０が接続される他、さらに、カラースキャナ１４からデバイス値ＲＧＢを受け取るインタフェース３２、カラープリンタ１６あるいはフイルムプリンタ１８にデバイス値ＣＭＹＫ（ＣＭＹＫ４色のＣＭＹＫ画像データともいう。）を送るインタフェース３４、測色計２０から測色値であるデバイス独立値Ｌａｂを受け取るインタフェース３６、ＵＳＢメモリ等の記録媒体であり第１変換テーブル５４を記憶可能な外部メモリ３８に対してデータの送受を行うインタフェース４０が接続される。
【００２６】
メモリ２４は、ＤＲＡＭ（主メモリ）及びフラッシュメモリ（書換可能な不揮発性メモリ）等から構成され、ＣＰＵ２２は、メモリ２４に格納されているプログラムを各種入力に基づき実行することで、各種機能実現手段として動作する。なお、後述するようにメモリ２４には第１変換テーブル５４を格納する必要最小限のメモリ領域２４ｍが確保される。
【００２７】
フイルムプリンタ１８は、パーソナルコンピュータ１２から送られてきたデバイス値ＣＭＹＫに対応するＣＭＹＫ各版の印刷フイルム原版（不図示）を出力する。
【００２８】
通常、この印刷用フイルム原版からＣＭＹＫ各版の刷版が作成され、作成された刷版が輪転機、すなわち、印刷機５０に装着されて各刷版にそれぞれＣＭＹＫの各インク（色材）が塗布される。そして、各刷版に塗布された各インクが印刷本紙に重ねられて転移されカラー画像が形成されたカラー印刷物Ｉｂが完成する。
【００２９】
ここで、印刷機５０を使用してカラー印刷物Ｉｂを製作する作業は、きわめて大がかりな作業でありコストも高い。このため、印刷機５０による実際の印刷の前にカラー印刷物Ｉａの仕上がりを確認することを目的として、カラー印刷用プルーファとしてのカラープリンタ１６が用いられる。カラープリンタ１６からはカラー画像が形成されたハードコピーとしてのカラープルーフＩｃが出力される。カラープルーフＩｃの絵柄とカラー印刷物Ｉｂの絵柄とが対応していることは言うまでもないが、この実施形態では、これらの絵柄をカラー原稿Ｉａの絵柄も対応しているものとする。
【００３０】
カラープリンタ１６としては、色材を重ねて支持体であるシート（通常、白色の紙、その他、有色の紙、透明あるいは有色の樹脂シート等も含まれる。）に画像を形成し、色材としてトナーを使用する電子写真プリンタや、色材としてインクを使用するインクジェットプリンタ等の画像出力デバイス（画像形成装置）が使用される。
【００３１】
図２に示すように、メモリ２４には、カラースキャナ１４から得たデバイス値ＲＧＢ（スキャナ）をデバイス独立値Ｌａｂに変換する第２変換テーブル５２が格納されている。
【００３２】
カラープリンタ１６用のデバイス独立値Ｌａｂをデバイス値ＣＭＹＫ（カラープリンタ）に変換する図３に示す第１変換テーブル５４のデータを作成するのがこの発明の趣旨であり、現時点ではこのデータは何も外部メモリ３８に格納されていない。
【００３３】
カラープリンタ１６の第１変換テーブル５４を作成するのと同様にして、図４に示す印刷機５０の第１変換テーブル５６のデータが作成される。なお、印刷機５０の第１変換テーブル５６は、フイルムプリンタ１８で利用される。
【００３４】
次に、カラープリンタ１６の図３に示す第１変換テーブル５４（カラープリンタ）の作成手順について、図６〜図８のフローチャートに基づき説明する。
【００３５】
この場合、まず、ＣＰＵ２２は、ステップＳ１において、図５に示すカラープリンタ１６用の第２変換テーブル５８（カラープリンタ）を作成し、メモリ２４に格納する。
【００３６】
図７にカラープリンタ１６用の第２変換テーブル５８を作成するステップＳ１の処理（過程）の詳細を示す。
【００３７】
カラープリンタ１６用の第２変換テーブル５８を作成するにあたり、例えば、ＣＭＹＫの網％データで１０％刻みに対応するデバイス独立値Ｌａｂのテーブルを作成しようとする場合、網％値を０、１０、…、１００％と変化させたＣＭＹＫの４色について１１（Ｃ）×１１（Ｍ）×１１（Ｙ）×１１（Ｋ）＝１４６４１（１０％の増分の組合せに係る格子点の数に等しい）色分のデバイス独立値Ｌａｂを求める必要がある。しかし、実際には、この中、特徴的な数百色分だけに対応するデバイス値ＣＭＹＫを発生し（ステップＳ１ａ）、インタフェース３４を通じてカラープリンタ１６に供給し、カラープリンタ１６により、対応する数百色のカラーパッチ画像Ｉｐが形成されたカラーチャートＩｄを出力する（図１参照、ステップＳ１ｂ）。
【００３８】
次に、カラーチャートＩｄ上に形成されたカラーパッチ画像Ｉｐの各パッチ画像を測色計２０により測色し（ステップＳ１ｃ）、この数百色分の格子点に係るデバイス独立値Ｌａｂを得、このデバイス独立値Ｌａｂをインタフェース３６を通じてパーソナルコンピュータ１２のメモリ２４に取り込む（ステップＳ１ｄ）。
【００３９】
ここで、ＣＰＵ２２は、この数百色分のデバイス独立値Ｌａｂの補間処理により上記した１１4＝１４６４１色分の前記１０％刻みの組合せに係るカラープリンタ１６用の第２変換テーブル５８（図５）を作成する（ステップＳ１ｅ、Ｓ１ｆ）。
【００４０】
次に、ステップＳ２において、ステップＳ１で作成したカラープリンタ１６用の第２変換テーブル５８に基づき、カラープリンタ１６用の所望の第１変換テーブル５４を作成する。
【００４１】
図８にカラープリンタ１６用の所望の第１変換テーブル５４を作成するステップＳ２の処理（過程）の詳細を示す。
【００４２】
まず、予め作成された上記したカラープリンタ１６用の第２変換テーブル５８を探索（検索）して、任意のデバイス独立値Ｌａｂに対応するデバイス値ＣＭＹＫの組（Ｃｉ，Ｍｉ，Ｙｉ，Ｋｉ）が存在するかどうかを判断する（ステップＳ２ａ）。
【００４３】
このステップＳ２ａの処理では、より具体的には、最初に、任意のデバイス独立値Ｌａｂに対応する、Ｋ＝０に固定したときのデバイス値ＣＭＹＫの組（Ｃｉ，Ｍｉ，Ｙｉ，０）が、カラープリンタ１６用の第２変換テーブル５８中に存在するかどうかを探索する。
【００４４】
次に、Ｋ＝１０，２０，…，１００とそれぞれ固定したときのそれぞれのデバイス値ＣＭＹＫの組（Ｃｉ，Ｍｉ，Ｙｉ，１０），（Ｃｉ，Ｍｉ，Ｙｉ，２０），…，（Ｃｉ，Ｍｉ，Ｙｉ，１００）が、カラープリンタ１６用の第２変換テーブル５８中に存在するかどうかを探索する。
【００４５】
次いで、ステップＳ２ｂの処理において、前記任意のデバイス独立値Ｌａｂに対応するＫ＝０，１０，２０，…，１００にそれぞれ固定して探索したときに、存在した（探索された）デバイス値ＣＭＹＫの組（Ｃｉ，Ｍｉ，Ｙｉ，Ｋｉ）のみを、メモリ２４中にメモリ領域２４ｍを確保し、確保したメモリ領域２４ｍに前記任意のデバイス独立値Ｌａｂに対応させて格納し、カラープリンタ１６用の第１変換テーブル５４（図３）を作成する。
【００４６】
図９は、このようにして作成されメモリ領域２４ｍに格納されたカラープリンタ１６用の第１変換テーブル５４の具体例を示している。
【００４７】
図９において、模式的に立方体で表しているカラープリンタ用の第２変換テーブル５８（図５参照）中、任意のデバイス独立値Ｌａｂ＝（Ｌ，ａ，ｂ）＝（１００，０，０）に対応するデバイス値ＣＭＹＫの組（Ｃｉ，Ｍｉ，Ｙｉ，Ｋｉ）（それぞれ網パーセントで表す。）は、デバイス値（Ｃｉ，Ｍｉ，Ｙｉ，Ｋｉ）＝（０，０，０，０）のみが存在し、存在したデバイス値（Ｃｉ，Ｍｉ，Ｙｉ，Ｋｉ）＝（０，０，０，０）を、第１変換テーブル５４にデバイス独立値（Ｌ，ａ，ｂ）＝（１００，０，０）に対応して格納するとともに、それ以上データがないことを示す「￥０」を書き込む。
【００４８】
同様に、任意のデバイス独立値Ｌａｂ＝（Ｌ，ａ，ｂ）＝（１０，０，０）に対応するデバイス値ＣＭＹＫの組（Ｃｉ，Ｍｉ，Ｙｉ，Ｋｉ）は、デバイス値（Ｃｉ，Ｍｉ，Ｙｉ，Ｋｉ）＝（２８，１７，１６，０），（０，０，０，１０）の２つのみが存在したものとすると、存在したデバイス値（Ｃｉ，Ｍｉ，Ｙｉ，Ｋｉ）＝（２８，１７，１６，０），（０，０，０，１０）を、第１変換テーブル５４にデバイス独立値（Ｌ，ａ，ｂ）＝（１０，０，０）に対応して格納するとともに、それ以上データがないことを示す「￥０」を書き込む。
【００４９】
さらに、任意のデバイス独立値Ｌａｂ＝（Ｌ，ａ，ｂ）＝（５０，０，０）に対応するデバイス値ＣＭＹＫの組（Ｃｉ，Ｍｉ，Ｙｉ，Ｋｉ）は、デバイス値（Ｃｉ，Ｍｉ，Ｙｉ，Ｋｉ）＝（４８，３７，３６，０），（３６，２８，２５，１０）…（０，０，０，８０）の９つのみが存在したものとすると、存在したデバイス値（Ｃｉ，Ｍｉ，Ｙｉ，Ｋｉ）＝（４８，３７，３６，０），（３６，２８，２５，１０）…（０，０，０，８０）を、第１変換テーブル５４にデバイス独立値（Ｌ，ａ，ｂ）＝（５０，０，０）に対応して格納するとともに、それ以上データがないことを示す「￥０」を書き込む。
【００５０】
なお、図９において、模式的に立方体で表しているカラープリンタ用の第２変換テーブル５８において、楕円体６０で囲まれた範囲内にはデバイス値ＣＭＹＫが存在し、楕円体６０と、この楕円体６０を囲む立方体で表しているカラープリンタ用の第２変換テーブル５８との間には、任意のデバイス独立値Ｌａｂに対応するデバイス値ＣＭＹＫが存在しない。このように存在しない任意のデバイス独立値Ｌａｂに対しても、従来は、検証しないでメモリに格納し、第１変換テーブルを作成していたのでメモリ容量が膨大な値となっていたが、この実施形態のように、任意のデバイス独立値Ｌａｂに対応して存在するデバイス値ＣＭＹＫのみを格納して第１変換テーブル５４を作成することによりメモリ容量を大幅に低減することができる。
【００５１】
なお、実際上、カラープリンタ１６毎に、プリンタ用紙等のシート（一般的には支持体という。）上に重ねることができる色材総量が決まっているので、その色材総量の範囲でＣＭＹＫ値が採れる範囲が変わる。
【００５２】
模式的に示せば、図１０の上図に示すように、支持体６２上に、４版の色材ＣＭＹＫをそれぞれ、１００［％］重ねることができる場合に、色材総量４００［％］→（Ｃ，Ｍ，Ｙ，Ｋ）＝（１００，１００，１００，１００）が採れるとされる。その一方、図１０の中図に示すように、支持体６４上に１００［％］を超えて重ねた場合には垂れてしまうようなとき、色材総量１００［％］までが採れるとされる。さらに、図１０の下図に示すように、支持体６６上に、４版の色材ＣＭＹＫを色材総量で２５０［％］まで重ねることができる場合には、色材Ｃを１００［％］採った場合、色材ＭＹＫをそれぞれ５０［％］重ねることができる。
【００５３】
実際上、上述したカラープリンタ１６の第２変換テーブル５８において、カラープリンタ１６では、色材総量が決定されており、その色材総量が採れる範囲内で、カラープリンタ１６の第１変換テーブル５４が作成されるので、第１変換テーブル５４のメモリ容量を必要最小限のメモリ容量とすることができる。
【００５４】
以上説明したように、上述した実施形態によれば、画像出力デバイスであるカラープリンタ１６で利用される、デバイス独立値Ｌａｂに対応するデバイス値ＣＭＹＫを格納する第１変換テーブル５４の作成方法であって、予め作成された、カラープリンタ１６のデバイス値ＣＭＹＫに対応するデバイス独立値Ｌａｂが格納された第２変換テーブル５８を探索して、任意のデバイス独立値Ｌａｂに対応するデバイス値ＣＭＹＫが存在するかどうかを判断する過程（ステップＳ１）と、デバイス値ＣＭＹＫが存在した場合、第１変換テーブル５４格納用のメモリ領域２４ｍを確保し、確保したメモリ領域２４ｍに任意のデバイス独立値Ｌａｂに対応させて、存在したデバイス値ＣＭＹＫのみを格納して第１変換テーブル５４を作成する過程（ステップＳ２）と、を有する。
【００５５】
このように、予め作成された、カラープリンタ１６のデバイス値ＣＭＹＫに対応するデバイス独立値Ｌａｂが格納された第２変換テーブル５８を探索して、任意のデバイス独立値Ｌａｂに対応するデバイス値ＣＭＹＫが存在するかどうかを判断し、デバイス値ＣＭＹＫが存在した場合、第１変換テーブル５４格納用のメモリ領域を確保し、任意のデバイス独立値Ｌａｂに対応させて、存在したデバイス値ＣＭＹＫのみを格納して第１変換テーブル５４を作成するようにしているので、第１変換テーブル５４のメモリ容量を削減することができる。
【００５６】
この場合、前記探索して判断する過程では、任意のデバイス独立値（Ｌ，ａ，ｂ）に対して、Ｋ＝０に固定し、第２変換テーブル５８中、任意のデバイス独立値（Ｌ，ａ，ｂ）となるデバイス値（Ｃ，Ｍ，Ｙ，０）を探索し、さらに、ＫをＫ＝Ｋ１＝１０，Ｋ２＝２０，…１００（０＜Ｋ１＜Ｋ２＜…＜１００）に変化させて、同様に、第２変換テーブル５８中、任意のデバイス独立値（Ｌ，ａ，ｂ）となるデバイス値（Ｃ，Ｍ，Ｙ，１０）、（Ｃ，Ｍ，Ｙ，２０）…（Ｃ，Ｍ，Ｙ，１００）を探索し、前記メモリ領域を確保してデバイス値を格納する過程では、任意のデバイス独立値（Ｌ，ａ，ｂ）に対応するＫ＝０，１０，２０，…１００中、存在したデバイス値（Ｃｉ，Ｍｉ，Ｙｉ，Ｋｉ）の組のみを、任意のデバイス独立値（Ｌ，ａ，ｂ）に対応させて第１変換テーブル５４に格納する。このため、１つの第１変換テーブル５４で、複数の色材総量に対応させることができる。
【００５７】
このように、この実施形態では、色材総量が異なる複数のプロファイルが必要となる場合に、プロファイルを格納する第１変換テーブル５４の必要なメモリ容量を削減することができる。
【００５８】
また、このようにして作成した第１変換テーブル５４は、メモリ２４からインタフェース４０を経由して外部メモリ３８中にコピーして使用に供することができる（図１参照）。
【００５９】
なお、この発明は、上述の実施形態に限らず、この明細書の記載内容に基づき、種々の構成を採り得ることはもちろんである。
【図面の簡単な説明】
【００６０】
【図１】この発明の一実施形態に係る第１変換テーブルの作成方法が適用されたこの実施形態に係る第１変換テーブル作成システムの構成図である。
【図２】スキャナの第２変換テーブルの模式図である。
【図３】この実施形態により作成しようとするカラープリンタの第１変換テーブルの模式図である。
【図４】印刷機の第１変換テーブルの模式図である。
【図５】カラープリンタの第２変換テーブルの模式図である。
【図６】この発明の一実施形態に係る第１変換テーブルの作成方法に係るフローチャートである。
【図７】図６のフローチャート中、第２変換テーブル作成手順の詳細を示すフローチャートである。
【図８】図６のフローチャート中、第１変換テーブル作成手順の詳細を示すフローチャートである。
【図９】作成されたカラープリンタの第１変換テーブルの模式図である。
【図１０】色材総量の説明図である。
【符号の説明】
【００６１】
１０…第１変換テーブル作成システム      １２…パーソナルコンピュータ
１４…カラースキャナ                    １６…カラープリンタ
２０…測色計                            ２２…ＣＰＵ
５４…第１変換テーブル（カラープリンタ用）
【図１】
2009118322.tif 000003
【図２】
2009118322.tif 000004
【図３】
2009118322.tif 000005
【図４】
2009118322.tif 000006
【図５】
2009118322.tif 000007
【図６】
2009118322.tif 000008
【図７】
2009118322.tif 000009
【図８】
2009118322.tif 000010
【図９】
2009118322.tif 000011
【図１０】
2009118322.tif 000012